(57)【要約】【課題】スタンドアローンで使用した場合であってもリアルタイムクロックの日時を高精度に保つ。【解決手段】第１の時計を有する情報処理装置に接続され、少なくとも第２の時計及び第３の時計、並びにＲＴＣ制御部を有する補正回路において、前記各時計の内の何れか２つの時計の値を比較し、値の差分が予め定めてある許容値以内である場合は、前記比較した２つの時計の値の平均値を補正値として前記３つの時計全てに書き戻す。【選択図】図１
2012234275.tif 000002
【特許請求の範囲】
【請求項１】
第１の時計を有する情報処理装置に接続され、少なくとも第２の時計及び第３の時計、並びにＲＴＣ制御部を有する補正回路において、
前記各時計の内の何れか２つの時計の値を比較し、値の差分が予め定めてある許容値以内である場合は、前記比較した２つの時計の値の平均値を補正値として前記３つの時計全てに書き戻すことを特徴とする補正回路。
【請求項２】
請求項１に記載の補正回路において、
前記各時計の内の何れか２つの時計の値を比較し、当該値の差分が予め定めてある許容値を超えていた場合は、比較する時計の組合せを新たなものとして再度比較を行い、当該再度の比較において値の差分が予め定めてある許容値以内である場合は、当該再度比較した２つの時計の値の平均値を補正値として前記３つの時計全てに書き戻すことを特徴とする補正回路。
【請求項３】
請求項１又は２に記載の補正回路において、
前記各時計を全ての組合せで比較した場合に、全ての比較において値の差分が予め定めてある許容値を超えていた場合は、アラーム信号を有効とし、前記情報処理装置内部では補正ができない状態である旨を通知することを特徴とする補正回路。
【請求項４】
請求項１乃至３の何れか１項に記載の補正回路において、
前記情報処理装置外部から、前記第１の時計の外部補正を受け付けた場合は、前記各比較を行わずに、前記外部補正された第１の時計の値を補正値として当該第１の時計以外の全ての時計に書き戻すことを特徴とする補正回路。
【請求項５】
請求項１乃至４の何れか１項に記載の補正回路において、
前記３つの時計以外に更に任意の個数の時計を有しており、当該任意の個数の時計も前記各比較の対象とすることを特徴とする補正回路。
【請求項６】
請求項１乃至５の何れか１項に記載の補正回路において、
前記各時計は、前記情報処理装置が有する主電源が起動中は当該主電源より電力の供給を受け、前記主電源が起動していない際は前記各時計のそれぞれが異なるバッテリーより電力の供給を受けることを特徴とする補正回路。
【請求項７】
請求項１乃至５の何れか１項に記載の補正回路において、
前記各時計は、前記情報処理装置が有する主電源が起動中は当該主電源より電力の供給を受け、前記主電源が起動していない際は前記各時計の全てが同一のバッテリーより電力の供給を受けることを特徴とする補正回路。
【請求項８】
第１の時計を有する情報処理装置と、前記情報処理装置に接続され、少なくとも第２の時計及び第３の時計、並びにＲＴＣ制御部を有する補正回路と、を備える補正処理対応情報装置において、
前記補正回路が請求項１乃至７の何れか１項に記載の補正回路であることを特徴とする補正処理対応情報装置。
【請求項９】
第１の時計を有する情報処理装置に接続され、少なくとも第２の時計及び第３の時計、並びにＲＴＣ制御部を有する補正回路が行う補正方法において、
前記各時計の内の何れか２つの時計の値を比較し、値の差分が予め定めてある許容値以内である場合は、前記比較した２つの時計の値の平均値を補正値として前記３つの時計全てに書き戻すことを特徴とする補正方法。
【発明の詳細な説明】
【技術分野】
【０００１】
本発明は、リアルタイムクロック（以下、適宜「ＲＴＣ」と呼ぶ。）の時間の補正に関する。
【背景技術】
【０００２】
一般的なコンピュータには、基本的にＲＴＣが搭載されている。そして、コンピュータは、リアルタイムクロックから日時を取得し、利用する。そのため、リアルタイムクロックには高い精度が求められる。もっとも、リアルタイムクロックは、発振器の精度等の要因により、次第に日時がズレてきてしまう。よって、リアルタイムクロックの日時を正確なものとするためには、日時を適宜補正する必要がある。
【０００３】
このような日時の補正に関する技術が例えば特許文献１に記載されている。特許文献１に記載の技術では、センサーネットワークシステムにおいて、基準時刻で発信した無線信号に対し、時刻同期対象の各装置が受信した時刻情報と、送信装置３００と各受信装置１００、２００ｄ、２００ｅの距離を無線伝播速度で除した無線伝播時間に発信時刻を加えた時刻の差から、時刻同期対象の各装置の基準時刻からのずれを計算する。そして、この同期信号の伝播にかかる時間を考慮に入れた時刻同期を行うので、高精度な時刻同期が可能となる。
【先行技術文献】
【特許文献】
【０００４】
【特許文献１】特開２００６−２３４４２５号公報
【発明の概要】
【発明が解決しようとする課題】
【０００５】
しかしながら、上述の特許文献１に記載の技術を含めた一般的な技術では、以下のような問題があった。
【０００６】
まず、スタンドアローンで使用した場合、コントローラ内蔵のＲＴＣの日時に誤差が生じると、日時の補正をする手段が無いという問題である。例えば、上述した特許文献１に記載の技術では、基準時刻を生成する装置及び各装置間で同期をとっており、スタンドアローンで使用した場合には適用できない。
【０００７】
更に、インターネットに接続している場合においても、インターネットタイムサーバとの同期に失敗して日時に誤差が生じると、日時の補正をする事が出来なかった。
【０００８】
加えて、日時に誤差が生じてしまっても、実際に時計を確認するまで日時の誤差に気がつく手段が無かった。
【０００９】
その他電波時計や時報に同期させて、ＲＴＣを補正する手段も考えられるが、その場合複雑な同期回路が必要となりシステムの低コスト化及び小型化が難しくなる。
【００１０】
そこで、本発明は、スタンドアローンで使用した場合であってもリアルタイムクロックの日時を高精度に保つことが可能な、リアルタイムクロック補正回路及びリアルタイムクロック補正方法を提供することを目的とする。
【課題を解決するための手段】
【００１１】
本発明の第１の観点によれば、第１の時計を有する情報処理装置に接続され、少なくとも第２の時計及び第３の時計、並びにＲＴＣ制御部を有する補正回路において、前記各時計の内の何れか２つの時計の値を比較し、値の差分が予め定めてある許容値以内である場合は、前記比較した２つの時計の値の平均値を補正値として前記３つの時計全てに書き戻すことを特徴とする補正回路が提供される。
【００１２】
本発明の第２の観点によれば、第１の時計を有する情報処理装置と、前記情報処理装置に接続され、少なくとも第２の時計及び第３の時計、並びにＲＴＣ制御部を有する補正回路と、を備える補正処理対応情報装置において、前記補正回路が上記の本発明の第１の観点により提供される補正回路であることを特徴とする補正処理対応情報装置が提供される。
【００１３】
本発明の第３の観点によれば、第１の時計を有する情報処理装置に接続され、少なくとも第２の時計及び第３の時計、並びにＲＴＣ制御部を有する補正回路が行う補正方法において、前記各時計の内の何れか２つの時計の値を比較し、値の差分が予め定めてある許容値以内である場合は、前記比較した２つの時計の値の平均値を補正値として前記３つの時計全てに書き戻すことを特徴とする補正方法が提供される。
【発明の効果】
【００１４】
本発明によれば、コントローラ内蔵の１ｓｔ−ＲＴＣの日時に誤差が生じた場合でも、時間の補正を実現するために、２ｎｄ−ＲＴＣと３ｒｄ−ＲＴＣとその制御部を設けたことから、スタンドアローンで使用した場合であってもリアルタイムクロックの日時を高精度に保つことが可能となる。
【図面の簡単な説明】
【００１５】
【図１】本発明の実施形態の基本的構成を表す図である。
【図２】本発明の実施形態の基本的動作を表すフローチャートである。
【発明を実施するための形態】
【００１６】
まず、本発明の実施形態の概略を説明する。
【００１７】
本実施形態では、一般的なリアルタイムクロックを持つ情報処理装置に対して、２ｎｄ−ＲＴＣと３ｒｄ−ＲＴＣとその制御部を追加する事によって、１ｓｔ−ＲＴＣの時間に誤差が生じた場合でも、２ｎｄ−ＲＴＣと３ｒｄ−ＲＴＣの比較で時間を補正し、外部からの補正手段を用いること無く、高精度にＲＴＣを保持する事ができる事を特徴としている。
【００１８】
更に、本実施形態では共通の電源ノイズの影響を軽減し、個別のバッテリーロスによる時間消失を回避する為に、２ｎｄ−ＲＴＣと３ｒｄ−ＲＴＣには専用のバッテリーを設けた。又、万が一全てのＲＴＣの時間に誤差が生じて、補正が出来なかった場合、外部にエラーとして通知する手段を設けた。
【００１９】
以上が本願発明の実施形態の概略である。
【００２０】
次に、本発明の実施形態について図面を用いて詳細に説明する。
【００２１】
図１を参照すると、ＲＴＣ対応情報処理装置１００は、主電源１１０、ＲＴＣ内蔵Ｉ／Ｏコントローラ１２０及びＲＴＣ補正回路１３０を含んでいる。ＲＴＣ対応情報処理装置１００は具体的にはどのような装置であってもよい。例えば、パーソナルコンピュータによりＲＴＣ対応情報処理装置１００を実現することが可能である。また、パーソナルコンピュータに限らず任意の用途の装置に実装することが可能である。
【００２２】
また、ＲＴＣ補正回路１３０は、ＲＴＣ制御部１３２と２ｎｄ−ＲＴＣ１３３と３ｒｄ−ＲＴＣ１３６を含んでいる。更に、ＲＴＣ制御部１３２はＰＣＩ−Ｅｘｐｒｅｓｓコントローラ１３１を含んでおり、ＰＣＩ−Ｅｘｐｒｅｓｓバス１６０でＲＴＣ内蔵Ｉ／Ｏコントローラ１２０と接続されている。
【００２３】
ＲＴＣ制御部１３２は、ＲＴＣ内蔵Ｉ／Ｏコントローラ１２０に内蔵されている１ｓｔ−ＲＴＣ１２３に、ＰＣＩ−Ｅｘｐｒｅｓｓポート１２１と、ＰＣＩバスブリッジ１２２を介して、直接アクセスできる。なお、本実施形態ではＲＴＣ内蔵Ｉ／Ｏコントローラ１２０とＲＴＣ補正回路１３０が、一例としてＰＣＩ−Ｅｘｐｒｅｓｓに準拠した接続をしているが、他の規格に準拠して接続するようにしてもよい。
【００２４】
１ｓｔ−ＲＴＣ１２３、２ｎｄ−ＲＴＣ１３３及び３ｒｄ−ＲＴＣ１３６にはそれぞれ専用の振動子として、１ｓｔ−ＲＴＣ用振動子１５０、２ｎｄ−ＲＴＣ用振動子１３４及び３ｒｄ−ＲＴＣ用振動子１３７を有している。更に、それぞれ専用のバッテリーとして、１ｓｔ−ＲＴＣ用バッテリー１４０、２ｎｄ−ＲＴＣ用バッテリー１３５及び３ｒｄ−ＲＴＣ用バッテリー１３８を有している。なお、本実施形態の要旨は日時の補正であるため各ＲＴＣや各振動子、各バッテリーに特に制限はなく、任意の種別のＲＴＣ、振動子及びバッテリーを用いることが可能である。
【００２５】
１ｓｔ−ＲＴＣ１２３と２ｎｄ−ＲＴＣ１３３と３ｒｄ−ＲＴＣ１３６は、ＡＣ−ＯＮされると主電源１１０からのスタンバイ電源ライン１１１より電力の供給を受ける。そして、ＡＣ−ＯＦＦの状態になると、それぞれ専用のバッテリーである、１ｓｔ−ＲＴＣ用バッテリー１４０、２ｎｄ−ＲＴＣ用バッテリー１３５及び３ｒｄ−ＲＴＣ用バッテリー１３８より電力の供給を受ける。
【００２６】
次に、図１の回路の動作について、図２のフローチャートを参照して説明する。
【００２７】
前提として、ＲＴＣ対応情報処理装置１００は、外部よりマニュアルもしくはインターネットタイムサーバとの同期がとられて、時計の外部補正が入った場合、ＢＩＯＳ（Basic Input/Output System）によりＲＴＣ内蔵Ｉ／Ｏコントローラ１２０のＣＭＯＳ（Complementary Metal-Oxide Semicondutor）エリア（図示を省略する）の任意の箇所に、外部補正識別フラグとして１をライトするものとする。
【００２８】
また、ＲＴＣ制御部１３２は、ＤＣ−ＯＮ状態になるとＰＣＩ−Ｅｘｐｒｅｓｓバス１６０とＰＣＩ−Ｅｘｐｒｅｓｓポート１２１とＰＣＩ−ＢＵＳブリッジ１２２を介して、決められた一定のタイミングで定期的に１ｓｔ−ＲＴＣ１２３の値をリードするものとする。
【００２９】
まず、ＲＴＣ制御部１３２は、１ｓｔ−ＲＴＣ１２３をポーリング開始する（図２のステップＳ１）。
【００３０】
次に、ＣＭＯＳエリアの外部補正識別フラグの状態をチェックする（図２のステップＳ２）。
【００３１】
そこで外部補正識別フラグが１の場合（図２のステップＳ２において１）、ＲＴＣ制御部１３２は１ｓｔ−ＲＴＣ１２３が外部より補正されたと認識して、図２のステップＳ３に移行する。そして、図２のステップＳ３では、１ｓｔ−ＲＴＣ１２３の値を２ｎｄ−ＲＴＣ１３３と３ｒｄ−ＲＴＣ１３６に書き戻す処理を実行して、外部補正識別フラグを０クリアし、ＲＴＣアラーム信号無効化の処理を実行する。これにより時計の外部補正が実行されたこととなる。そしてその後、図２のステップＳ２に戻る。
【００３２】
一方、外部補正識別フラグが０の場合は（図２のステップＳ２において０）、外部補正は入っていないと判断でき、そのまま図２のステップＳ４に移行する。
【００３３】
図２のステップＳ４では、ＲＴＣ制御部１３２はＲＴＣアラーム信号の状態をチェックする。
【００３４】
ＲＴＣアラーム信号が有効な場合（図２のステップＳ４において有効）は、既に内部での補正が不可能と判断されている状態なので、何も処理を実行せずに図２のステップＳ２に戻る。すなわち、外部補正が入り、外部補正識別フラグとして１がライトされるまで待機することとなる。
【００３５】
一方、ＲＴＣアラーム信号が無効な場合（図２のステップＳ４において無効）は、図２のステップＳ５に移行する。
【００３６】
図２のステップＳ５にてＲＴＣ制御部１３２は１ｓｔ−ＲＴＣ１２３の値をリードすると、リードした１ｓｔ−ＲＴＣ１２３の値を２ｎｄ−ＲＴＣ１３３の値と比較する。
【００３７】
比較値が一定の許容値以内であった場合（図２のステップＳ４において許容値内）は、ＲＴＣ制御部１３２は補正不要と判断して、図２のステップＳ２に戻る。
【００３８】
一方、比較値がある一定の許容値を超える差分が生じた場合（図２のステップＳ４において許容値外）、ＲＴＣ制御部１３２は補正必要と判断して図２のステップＳ６に移行する。
【００３９】
なお、このステップＳ５並びに後述のステップＳ６及びステップＳ８における許容値は予め任意の値を定めておくものとする。
【００４０】
続いて、図２のステップＳ６にて、ＲＴＣ制御部１３２は２ｎｄ−ＲＴＣ１３３と３ｒｄ−ＲＴＣ１３６の値を比較する。
【００４１】
そして、２ｎｄ−ＲＴＣ１３３と３ｒｄ−ＲＴＣ１３６の比較値がある一定の許容値以内で有った場合（図２のステップＳ６において許容値内）、ＲＴＣ制御部１３２は１ｓｔ−ＲＴＣ１２３の時間に誤差が生じたと判断する。そして、図２のステップＳ７に移行して２ｎｄ−ＲＴＣ１３３と３ｒｄ−ＲＴＣ１３６の平均値を計算して、その計算値を補正値として全てのＲＴＣに書き戻し、図２のステップＳ２に戻る。
【００４２】
一方、図２のステップＳ６にて２ｎｄ−ＲＴＣ１３３と３ｒｄ−ＲＴＣ１３６の値を比較した時に、ある一定の許容値を超える差分が生じた場合（図２のステップＳ６において許容値外）、ＲＴＣ制御部１３２は処理を図２のステップＳ８に移行する。
【００４３】
図２のステップＳ８にて、ＲＴＣ制御部１３２は１ｓｔ−ＲＴＣ１２３と３ｒｄ−ＲＴＣ１３６の値を比較する。
【００４４】
そして、１ｓｔ−ＲＴＣ１２３と３ｒｄ−ＲＴＣ１３６の比較値がある一定の許容値以内で有った場合（図２のステップＳ８において許容値内）、ＲＴＣ制御部１３２は２ｎｄ−ＲＴＣ１３３の時間に誤差が生じたと判断する。そして、図２のステップＳ９に移行して１ｓｔ−ＲＴＣ１２３と３ｒｄ−ＲＴＣ１３６の平均値を計算して、その計算値を補正値として全てのＲＴＣに書き戻し、図２のステップＳ２に戻る。
【００４５】
一方、図２のステップＳ８にて、１ｓｔ−ＲＴＣ１２３と３ｒｄ−ＲＴＣ１３６の比較値がある一定の許容値を超える差分が生じた場合（図２のステップＳ８において許容値外）、ＲＴＣ制御部１３２は、内部での補正が不可能と判断して、ＲＴＣアラーム信号を有効にする（図２のステップＳ１０）そして、図２のステップＳ２に戻る。
【００４６】
以上説明した本発明の実施形態は、以下に示すような多くの効果を奏する。
【００４７】
第１の効果は外部からの補正が無くても、内部比較により時計の補正ができることである。また、これによりスタンドアローンで運用した場合にも、時計を高精度に保つ事ができることである。
【００４８】
その理由は、コントローラ内蔵の１ｓｔ−ＲＴＣの日時に誤差が生じた場合でも、時間の補正を実現するために、２ｎｄ−ＲＴＣと３ｒｄ−ＲＴＣとその制御部を設けたからである。
【００４９】
第２の効果は外部からの補正が入った場合、それを確認する手段を持ち、全てのＲＴＣに補正値を書き戻す事ができることである。
【００５０】
その理由は、外部からの補正が入った場合、外部補正識別フラグとして１をライトし、この外部補正識別フラグに基づいて、１ｓｔ−ＲＴＣの値を２ｎｄ−ＲＴＣと３ｒｄ−ＲＴＣに書き戻すからである。
【００５１】
第３の効果は万が一内部で補正が出来なかった場合でも、外部に通知する手段を持ち速やかに上位Ｓ／Ｗ等との連携により、時計を補正できることである。
【００５２】
その理由は、各ＲＴＣの全ての組合せにおいて、ＲＴＣの値の差分が許容値を超えた場合はＲＴＣアラーム信号を有効にするためである。
【００５３】
第４の効果は、ソフトウェアタイマのチェック(例えばインターネットタイムサーバによるチェック)に頼らなくても、精度を保つことが可能なことである。
【００５４】
その理由は、電源投入時に異常判定をするだけではなく、その後も定期的に内部で補正動作を行い、ソフトウェアタイマのチェックに頼っていないからである。
【００５５】
第５の効果は、高精度な比較が可能なことである。
【００５６】
例えば、複数の時計を用意しておき予め決められた一方の時計の時刻を、他方の時刻に補正するような構成も考えられるが、このようにした場合、何れの時刻が正しいのかは不明確である。しかし、本実施形態では高精度比較の為、内蔵時計を３つ以上備えており、多数決方式により基準となる時計を２つ決定して、平均値を補正値とする事を特徴としているため、より高精度な比較が可能となる。
【００５７】
第６の効果は、異常を検出した場合に、外部に通知を行うことなく補正が可能な点である。
【００５８】
その理由は、内部にて補正が可能な場合はＲＴＣアラーム信号を有効にすることなく自動で補正を行うからである。
【００５９】
なお、以上説明した本実施形態は、本発明の好適な実施形態ではあるが、上記実施形態のみに本発明の範囲を限定するものではなく、本発明の要旨を逸脱しない範囲において種々の変更を施した形態での実施が可能である。
【００６０】
以上説明した本実施形態に変更を施した変形例として以下の三つの変形例を例示する。
【００６１】
第１の変形例として、各ＲＴＣ用のバッテリーを共通化することが考えられる。これによりＲＴＣ補正回路１３０の構成を簡略化できるという効果を奏する。具体的には、ＲＴＣ補正回路１３０内の２ｎｄ−ＲＴＣ用バッテリー１３５及び３ｒｄ−ＲＴＣ用バッテリー１３８を共通化して、単一のバッテリーとすることが考えられる。更に、適切に接続が可能であれば、２ｎｄ−ＲＴＣ用バッテリー１３５及び３ｒｄ−ＲＴＣ用バッテリー１３８に加えて１ｓｔ−ＲＴＣ用バッテリー１４０も共通化し、全てのＲＴＣ用のバッテリーを単一のバッテリーにより実現することも可能である。
【００６２】
次に、第２の変形例として、ＲＴＣの数を３個よりも更に増加させることが考えられる。本実施形態ではＲＴＣの数に制限はなくｎ個（ｎは３以上の任意の自然数）のＲＴＣを設けるようにすることが可能である。例えば、４つめのＲＴＣ（４ｔｈ−ＲＴＣ）を設けた場合、図２のステップＳ６やステップＳ８において許容値外の場合に更に各ＲＴＣの値と４ｔｈ−ＲＴＣの値との比較を行い、或るＲＴＣの値と４ｔｈ−ＲＴＣの値の差分が許容値内であれば、この或るＲＴＣの値と４ｔｈ−ＲＴＣの値の平均値を用いて各ＲＴＣに対して補正を行うことが可能となる。
【００６３】
すなわち、第２の変形例では、ＲＴＣ対応情報処理装置１００内部で補正を処理できる可能性を上げることが可能となる。
【００６４】
第３の変形例として、ＲＴＣ内蔵Ｉ／Ｏコントローラ１２０とＲＴＣ制御部１３２の接続を、ＰＣＩ−Ｅｘｐｒｅｓｓバス等の汎用バスでなく専用バスで接続することも可能である。
【００６５】
上記の実施形態の一部又は全部は、以下の付記のようにも記載されうるが、以下には限られない。
【００６６】
（付記１）  第１の時計を有する情報処理装置に接続され、少なくとも第２の時計及び第３の時計、並びにＲＴＣ制御部を有する補正回路において、
前記各時計の内の何れか２つの時計の値を比較し、値の差分が予め定めてある許容値以内である場合は、前記比較した２つの時計の値の平均値を補正値として前記３つの時計全てに書き戻すことを特徴とする補正回路。
【００６７】
（付記２）  付記１に記載の補正回路において、
前記各時計の内の何れか２つの時計の値を比較し、当該値の差分が予め定めてある許容値を超えていた場合は、比較する時計の組合せを新たなものとして再度比較を行い、当該再度の比較において値の差分が予め定めてある許容値以内である場合は、当該再度比較した２つの時計の値の平均値を補正値として前記３つの時計全てに書き戻すことを特徴とする補正回路。
【００６８】
（付記３）  付記１又は２に記載の補正回路において、
前記各時計を全ての組合せで比較した場合に、全ての比較において値の差分が予め定めてある許容値を超えていた場合は、アラーム信号を有効とし、前記情報処理装置内部では補正ができない状態である旨を通知することを特徴とする補正回路。
【００６９】
（付記４）  付記１乃至３の何れか１に記載の補正回路において、
前記情報処理装置外部から、前記第１の時計の外部補正を受け付けた場合は、前記各比較を行わずに、前記外部補正された第１の時計の値を補正値として当該第１の時計以外の全ての時計に書き戻すことを特徴とする補正回路。
【００７０】
（付記５）  付記１乃至４の何れか１に記載の補正回路において、
前記３つの時計以外に更に任意の個数の時計を有しており、当該任意の個数の時計も前記各比較の対象とすることを特徴とする補正回路。
【００７１】
（付記６）  付記１乃至５の何れか１に記載の補正回路において、
前記各時計は、前記情報処理装置が有する主電源が起動中は当該主電源より電力の供給を受け、前記主電源が起動していない際は前記各時計のそれぞれが異なるバッテリーより電力の供給を受けることを特徴とする補正回路。
【００７２】
（付記７）  付記１乃至５の何れか１に記載の補正回路において、
前記各時計は、前記情報処理装置が有する主電源が起動中は当該主電源より電力の供給を受け、前記主電源が起動していない際は前記各時計の全てが同一のバッテリーより電力の供給を受けることを特徴とする補正回路。
【００７３】
（付記８）  第１の時計を有する情報処理装置と、前記情報処理装置に接続され、少なくとも第２の時計及び第３の時計、並びにＲＴＣ制御部を有する補正回路と、を備える補正処理対応情報装置において、
前記補正回路が付記１乃至７の何れか１に記載の補正回路であることを特徴とする補正処理対応情報装置。
【００７４】
（付記９）  第１の時計を有する情報処理装置に接続され、少なくとも第２の時計及び第３の時計、並びにＲＴＣ制御部を有する補正回路が行う補正方法において、
前記各時計の内の何れか２つの時計の値を比較し、値の差分が予め定めてある許容値以内である場合は、前記比較した２つの時計の値の平均値を補正値として前記３つの時計全てに書き戻すことを特徴とする補正方法。
【産業上の利用可能性】
【００７５】
本願発明は、映像放送分野や航空監視システム分野等といった時計精度の高いシステムに好適である。更に本願発明は、スタンドアローンにおいても高い精度を保つ事が可能なため、一般ユーザ向けシステムにおいても、有効利用が考えられる。
【符号の説明】
【００７６】
１００  ＲＴＣ対応情報処理装置
１１０  主電源
１１１  スタンバイ電源ライン
１２０  ＲＴＣ内蔵Ｉ／Ｏコントローラ
１２１  ＰＣＩ−Ｅｘｐｒｅｓｓポート
１２２  ＰＣＩ−ＢＵＳブリッジ
１２３  １ｓｔ−ＲＴＣ
１３０  ＲＴＣ補正同路
１３１  ＰＣＩ−Ｅｘｐｒｅｓｓコントローラ
１３２  ＲＴＣ制御部
１３３  ２ｎｄ−ＲＴＣ
１３４  ２ｎｄ−ＲＴＣ用振動子
１３５  ２ｎｄ−ＲＴＣ用バッテリー
１３６  ３ｒｄ−ＲＴＣ
１３７  ３ｒｄ−ＲＴＣ用振動子
１３８  ３ｒｄ−ＲＴＣ用バッテリー
１４０  １ｓｔ−ＲＴＣ用バッテリー
１５０  １ｓｔ−ＲＴＣ用振動子
１６０  ＰＣＩ−Ｅｘｐｒｅｓｓバス
【図１】
2012234275.tif 000003
【図２】
2012234275.tif 000004